(57)【要約】【課題】容易にズボンの丈や袖の長さを調節することができ、またその状態を維持できる衣類を提供する。【解決手段】係持具１は、板状に形成され、対向する上辺１０と下辺１１は略平行に設けられており、係持具１は全体的に湾曲した形状を有している。プラスチック製であり、全体的に均一の厚さを有している。厚さは約０．７ｍｍであり、水平方向の長さは約８ｃｍ、垂直方向の長さは約５ｃｍであり、係持具１を把持した際、手中に納まりやすい大きさに形成されている。  係持具１は、衣類の一例であるズボンの両サイドにあるポケットの開口部より下方に取り付けて用いられる。【選択図】図１
0003201478.tif 000002
【実用新案登録請求の範囲】
【請求項１】
板状の形状を有し、衣類の筒状に形成された部分の一部の領域に取り付けられた係持具と、
該係持具が取り付けられた位置に近接し、前記衣類を構成する生地体の一部である折返し部とを備える
衣類。
【請求項２】
前記衣類の筒状に形成された部分の一部の領域は、ズボンの腰部付近や上衣の肩口付近である
請求項１に記載の衣類。
【請求項３】
前記係持具は、前記衣類の内側に設けられる
請求項１又は請求項２に記載の衣類。
【請求項４】
前記係持具は、厚さが０．５〜３ｍｍであり、長手方向の長さが７０〜１００ｍｍであり、短手方向の長さが３０〜７０ｍｍである
請求項１、請求項２又は請求項３に記載の衣類。
【請求項５】
前記係持具は、人体の丸みに沿う、湾曲した形状を有する
請求項１、請求項２、請求項３又は請求項４に記載の衣類。
【請求項６】
前記係持具は、板状の形状を有し、衣類を構成する生地体よりも硬質な素材で形成され、
請求項１、請求項２、請求項３、請求項４又は請求項５に記載の衣類。
【請求項７】
前記係持具は、前記衣類の腰部及び袖部の端部から、同係持具の垂直方向の幅と同じ幅若しくはそれ以上離れて設けられる
請求項１、請求項２、請求項３、請求項４、請求項５又は請求項６に記載の衣類。
【考案の詳細な説明】
【技術分野】
【０００１】
本考案は衣類に関する。詳しくは、容易にズボンの丈や袖の長さを調節することができ、またその状態を維持できる衣類に関するものである。
【背景技術】
【０００２】
衣類は、ファッション性は言うまでもなく、体温調節や清潔さなどの着心地の良さも求められる。衣類着用者は、例えば、暑さを感じれば袖をまくり上げ、汚れた場所を歩く際は、ズボンの裾が汚れてしまわないよう、ズボンを摘み上げて裾を上げるなどしている。即ち、着心地の良さを得るために、衣類着用者は頻繁に袖の長さやズボンの長さを適切な、あるいは快適な長さに調整するよう、常に気を配っている。
【０００３】
例えば、暑さを感じた場合には袖口のボタンを外して、袖を数回折り曲げる作業を、左右の袖のそれぞれに行う。一方、寒さを感じた場合には、まくり上げた袖を元に戻し、袖口のボタンを留める作業を左右の袖のそれぞれに行う必要があり、手間がかかる。しかも、袖をまくりあげた状態であっても、まくり上げたはずの袖が徐々にほどけてくることがある。この様な状態は、見た目にもだらしなく見え、本人はもちろんのこと周囲の人間にも不愉快さを感じさせる原因となっている。
【０００４】
このように、袖の長さを場面に応じて適切な長さにすることは、手間のかかる作業であり、ついそのままの状態で過ごしてしまうので、暑さを感じても長袖のままで過ごしたり、逆に寒さを感じても袖をまくりあげた状態で過ごしてしまうことがよくあり、体感温度の調節を適切に行いにくいため、快適な着心地を得ることが難しい。
【０００５】
同じように、ズボンについても暑い時や寒い時にズボンの裾を捲りあげたり、若しくは下げたりすることは、手間がかかるだけでなく、着用者の上体を前かがみの状態にして作業しなければならず、着用者の身体的負担が大きい。
【０００６】
また、ぬかるんだ地面や濡れた床を歩くときなどに、ズボンの裾が地面や床に触れることで、汚れてしまうことは日常的によくあることであり、この様な時には、ズボンの太もも部分を摘み上げるなどして、ズボンの裾が地面や床に触れないように対処している。しかし、この状態では、着用者の片手あるいは両手が塞ってしまうことになり、傘をさしている場合や、荷物を持っている場合などでは不安定な姿勢となってしまい、転倒の危険さえ感じられる。
【０００７】
このため、昨今では、袖の長さの調整については、リング状の形状を有するアームベルトや、長手方向を有するベルトの両端にクリップが取り付けられたシャツガーターなどが市販されている。これらは、伸縮性のある素材で作られているので、取り付けが容易である。
【０００８】
しかし、衣類着用者は常にアームベルトを携帯する必要があり、携帯し損ねた場合は使用することができず、また一対のアームベルトのうち片方を紛失してしまえば他方のみを使用するのがためらわれる。
【０００９】
また、ズボンの股下の長さの調整については、特許文献１に示すように、ズボンのひざ下付近でベルト布と止具（ボタン）を用いて股下の長さを調節する方法が記載されている。これにより、ズボンの股下の長さの調整は場面に応じて的確に行うことができる。
【先行技術文献】
【特許文献】
【００１０】
【特許文献１】特開２０００−１９９１０７号公報
【考案の概要】
【考案が解決しようとする課題】
【００１１】
しかし、衣類着用者は、股下の長さを調節するたびに前かがみになってひざ部分の止具を外し、再度適した位置に止具をつけかえなければならず、身体への負担が大きいことは、従前と同じである。また、特許文献１のズボンは、それぞれの片足に３つずつベルト布が設けられており、これらすべての止具の取り外しと取り付けを行うことは、手間がかかるという、従来の課題を解決するものではない。
【００１２】
本考案は以上の点に鑑みて創案されたものであり、容易にズボンの丈や袖の長さを調節することができ、またその状態を維持できる衣類を提供することを目的とする。
【課題を解決するための手段】
【００１３】
上記課題を解決するために、本考案の衣類は、板状の形状を有し、衣類の筒状に形成された部分の一部の領域に取り付けられた係持具と、該係持具が取り付けられた位置に近接し、前記衣類を構成する生地体の一部である折返し部を備える。
【００１４】
ここで、衣類の筒状に形成された部分の一部の領域に取り付けられた係持具によって、係持具を常に携行することができる。
【００１５】
また、衣類の筒状に形成された部分の一部の領域に取り付けられた係持具によって、係持具を片手で操作するだけでズボンや袖の長さの調節を容易にすることができる。
【００１６】
また、板状の形状を有する係持具によって、衣類に取り付けてもかさばることがないので、着心地に違和感がない。
【００１７】
また、係持具が取り付けられた位置に近接し、衣類を構成する生地体の一部である折返し部によって、折返し部分の生地体を係持具と重ね合わせて畳み込むことができる。
【００１８】
また、衣類の筒状に形成された部分の一部の領域が、ズボンの腰部付近や上衣の肩口付近である場合には、着衣の状態で容易に手が届く範囲に係持具が設けられているので、係持具の操作を簡単に行うことができる。
【００１９】
また、係持具が衣類の内側に設けられた場合には、衣類のデザイン性を損なうことなく係持具を取り付けることができる。
【００２０】
係持具の厚さが０．５〜３ｍｍである場合には、係持具が適度な厚さを有することにより、破損しにくくなるだけでなく、装着時の使用感もさほど感じられないので、不快に感じにくい。なお、０．５ｍｍより薄い場合には、外部からの衝撃に耐えることができるだけの強度を備えることができず、破損しやすくなる。また、３ｍｍより厚い場合には、装着時に使用感があり、不快に感じやすくなる。
【００２１】
係持具の長手方向の長さが７０〜１００ｍｍである場合には、手の中に納まりやすい大長さであるので、係持具を操作する際手で把持しやすい。なお、７０ｍｍより短い場合には、小さすぎるため手で把持しにくくなり、容易に操作しにくくなる。また、１００ｍｍより長い場合には、係持具が身体に接触する面積が広くなるため、使用感が増し、不快に感じやすくなる。
【００２２】
係持具の短手方向の長さが３０〜７０ｍｍである場合には、手の中に納まりやすい長さであるので、係持を操作する際手で把持しやすい。なお、３０ｍｍより短い場合には、小さすぎるため手で把持しにくくなり、容易に操作しにくくなる。また、７０ｍｍより長い場合には、係持具が身体に接触する面積が広くなるため、使用感が増し、不快に感じやすくなる。
【００２３】
係持具が人体の丸みに沿う、湾曲した形状を有する場合には、装着時に違和感ないので不快に感じにくくなる。
【００２４】
係持具が人体の丸みに沿う、湾曲した形状を有する場合には、衣類の立体的な形状に沿って取り付けることができるので、装着後に衣類の形状を不自然に変えることなく取り付けることができる。
【００２５】
係持具が板状の形状を有し、衣類を構成する生地体よりも硬質な素材で形成される場合には、係持具が折返し部を巻込みながら反転する際、生地体である折返し部の重みなどで折れ曲がるなどすることを防ぐことができる。
【００２６】
係持具が、衣類の腰部及び袖部の端部から、係持具の垂直方向の幅と同じ幅若しくはそれ以上離れて設けられる場合には、係持具が反転する際係持具の一部が衣類の腰部及び袖部の端部から突出することがないので、係持具を反転させても衣類のデザイン性を損なうことがない。
【考案の効果】
【００２７】
本考案に係る衣類は、容易にズボンの丈や袖の長さを調節することができ、またその状態を維持できる。
【図面の簡単な説明】
【００２８】
【図１】第１の実施の形態に係る係持具の斜視図である。
【図２】第１の実施の形態に係る係持具を取り付けたズボンの正面図（ａ）及び側面図（ｂ）である。
【図３】第１の実施の形態に係る係持具が反転する際の状態遷移図である。
【図４】第１の実施の形態に係る係持具を使用した際の裾部の使用状態参照図である。
【図５】第２の実施の形態に係る係持具を取り付けた上衣の斜視図（ａ）及び係持具を反転後の位置に移動した場合の参照図（ｂ）である。
【考案を実施するための形態】
【００２９】
以下、本考案の実施の形態について図１ないし図５を参照しながら説明し、本考案の理解に供する。
【００３０】
〔第１の実施の形態〕
図１に示す係持具１は、板状に形成され、対向する上辺１０と下辺１１は略平行に設けられており、係持具１は全体的にやや湾曲した形状を有している。プラスチック製であり、全体的に均一の厚さを有している。厚さは約０．７ｍｍであり、水平方向の長さは約８ｃｍ、垂直方向の長さは約５ｃｍであり、係持具１を把持した際、手中に納まりやすい大きさに形成されている。
【００３１】
衣類の一例であるズボン３は、ズボンの生地３０により構成されており、ズボン３の両サイドにポケットＰ１及びＰ２が形成されている。
【００３２】
係持具１は、図２に示すように、ポケットＰ１及びＰ２の開口部付近に取り付けて用いられる。なお、係持具１が取り付けられた領域は、衣類の筒状に形成された部分の一部の領域の一例である。係持具１が取り付けられた位置の下方側の隣接する領域には、ズボンの生地３０の一部である折返し部２が設けられている。
【００３３】
ズボンの生地３０の一部であり、係持具１より上方の領域である巻込み部３１は、後述するように、係持具１が上辺１０を支点として反転する際、その内側に係持具１及び係持具１と近接しその下方に設けられた折返し部２を抱え込み、内包する。
【００３４】
ここで、係持具１の形状は略四角形状に限定されるものではなく、半円形や台形など他の形状のものも考えられる。
【００３５】
また、係持具１の取付け位置は特に限定されるものではないが、ズボンの股上であって腰部近傍が、ズボンの生地３０と着用者の身体Ｂが他の箇所と比べて近接していることから好ましい。係持具１を反転させた際、係持具１が巻込み部３１と着用者の身体Ｂの間の空間に挟み込まれることで係止されるので、容易に元の位置に戻りにくくなるからである。
【００３６】
また、係持具１の取付け位置をベルト部Ｃ近傍にすることもできる。この場合は、係持具１を反転させることにより、係持具１がベルト部Ｃの内側に入り込むので、ベルト部Ｃの締付けにより容易に係持具１がベルト部Ｃから離脱することはない。
【００３７】
また、係持具１の取付け個数は特に限定するものではないが、少なくともズボンの左右に一つずつ設けられていればよく、左右にそれぞれ二個あるいは三個ずつ若しくはそれ以上の個数を設けてもよい。なお、この時の係持具１の取付け位置は、先述した腰部以外にもズボン３の股上の全面中央付近の腹部あたりも考えられる。
【００３８】
また、係持具１の素材は、特に限定するものではないが、加工が容易で、軽量である点からプラスチック製のものが好ましいが、革製や紙製も考えられる。なお、係持具１は様々な衣類に取付けることが想定されるため、複数回の洗濯に耐えられる素材で作られることが望ましい。
【００３９】
また、係持具１の湾曲部分の曲率は、特に限定するものではないが、着用者の身体Ｂに沿うことができる形状のものが好ましい。
【００４０】
また、係持具１は、着用者の身体Ｂに沿って用いられるものであるため、多少の弾力性を備えていることが好ましい。
【００４１】
また、係持具１は、ズボンの両サイドの一部を覆うものとすることもできるが、これに限定されるものではなく、例えば、ズボン３の腰部を背面から両サイドにかけて連続して巻いた長さとすることもできる。
【００４２】
また、係持具１の取付け方法は、特に限定されるものではないが、ズボン３の生地３０に取り付けられることから、例えば係持具１を収容することが可能な大きさの袋体（図示せず）をズボン３の内側に設け、その袋体の中に係持具１を収納することが考えられる。あるいは、マジックベルトや接着剤などを用いてズボン３に取り付けることも可能である。
【００４３】
（作用）
次に、係持具１の作用を説明する。
まず、係持具１をズボン３の左右のポケットＰ１及びＰ２の開口部付近で、係持具１の上辺１０が上方に、下辺１１が下方に位置するように、生地３０と一体に取り付ける。なお、このときの係持具１の状態は、図３（ａ）に表わされているが、この状態を「基準の位置」という。
【００４４】
次に、図３（ａ）で示すように、係持具の上辺１０と下辺１１を手で把持する。そして、図３（ｂ）に示すように、下辺１１を生地３０と着用者の身体Ｂの間に入れ込みながら、図３（ｃ）に示すように、係持具１を反転させる。この時、係持具１の下辺１１が上辺１０よりも上方に位置している。なお、この時の係持具１の状態を「反転後の位置」という。
【００４５】
係持具１が「反転後の位置」にある状態では、下辺１１にズボンの生地３０の重みがかかり、これにより下辺１１には下向きの力がかかっている。しかし、係持具１が、ズボン３の生地３０と着用者の身体Ｂとが近接している部分である腰部付近に取り付けられているので、下辺１１には下向きの力がかかっているものの、係持具１が「基準の位置」に戻ることはできない。即ち、係持具１が反転して「基準の位置」に戻るのに必要な、広がって係持具１を反転させるゆとりは、ズボン３の生地３０の腰部付近にはないので、係持具１は「基準の位置」に容易に戻ることができない。これにより、係持具１は「反転後の位置」の状態で係止され、容易に「基準の位置」に戻ることはない。
【００４６】
また、係持具１はズボン３の生地３０に一体に取り付けられているので、係持具１が「基準の位置」から「反転後の位置」に移動する際、係持具１に隣接し、その下方側の領域に設けられた折返し部２が係持具１と共に、ズボン３の生地３０と着用者の身体Ｂの間の空間に抱え込まれ、内包される。これにより、係持具１と、生地３０の一部である折返し部２が、巻込み部３１と重ねあわされ、三重構造となるので、ズボン３の裾部３２は、図４に示すように、係持具１の垂直方向の長さの約２倍の長さの分、吊り上げられる。
【００４７】
（使用方法）
次に、係持具１の使用方法を説明する。
着用者は、ぬかるんだ地面や濡れた床を歩く際、ズボン３の両サイドに取り付けられた係持具１を手で把持し、下辺１１を巻込み部３１と着用者の身体Ｂの間の空間に折畳むように入れ込む。
【００４８】
係持具１と、生地３０の一部である折返し部２が、巻込み部３１と重ねあわされ、三重構造となるので、ズボン３の裾部３２は、図４に示すように、係持具１と折返し部２の垂直方向の幅を足し合わせた分、吊り上げられる。即ち、裾部３２をぬかるんだ地面Ｇや濡れた床から離すことができるので、着用者は、ズボン３の裾部３２をぬかるんだ地面Ｇや濡れた床の水たまりＷに触れさせることなく移動することができる。
【００４９】
また、係持具１と折畳み部２が巻込み部３と着用者の身体Ｂの間の空間に折畳まれると、係持具１が反転して「基準の位置」に戻るのに必要な、広がって係持具１を反転させるゆとりは、ズボン３の生地３０の腰部付近にはないので、係持具１は「基準の位置」に容易に戻ることができない。これにより、係持具１は「反転後の位置」の状態で係止され、容易に「基準の位置」に戻ることはない。これにより、ズボン３の腰部付近を大きく動かさない限り、係持具１が反転し、ズボン３の裾部３２が下がり、ぬかるんだ地面Ｇや濡れた床に触れることはなく、着用者が何度も係持具１を反転させて裾部３２が下がらないよう気を配る必要はない。
【００５０】
また、着用者がズボン３の裾部３２を元の位置におろしたいときは、係持具１を手で把持し、外側にやや引っ張りながら係持具１を反転させ、「基準の位置」に戻すことで、巻込み部３１と着用者の身体Ｂの間に折畳まれていた係持具１と折畳み部２が引き出されるので、係持具１と折畳み部２の高さ方向の幅を足し合わせた分だけズボン３の裾部３２が下がる。
【００５１】
［第２の実施の形態］
衣類の一例である上衣５は、上衣５の生地５０により構成されており、上衣５の肩口近傍は、衣類の筒状に形成された部分の一部の領域の一例である。係持具４は上衣５の肩口近傍に取り付けられており、係持具４が取り付けられた位置の袖口部５２側の隣接する領域には、上衣５の生地５０の一部である折返し部６が設けられている。
【００５２】
上衣５の生地５０の一部であり、係持具４より肩口側に位置する領域には巻込み部５１が設けられており、後述するように、係持具４が上辺４０を支点として反転する際、その内側に係持具４、及び係持具４と近接し、その下方に設けられた折返し部６を抱え込み、内包する。
【００５３】
ここで、係持具４の形状は、特に限定されるものではないが、第１の実施の形態と同じ大きさに形成することも可能であるが、上衣５の肩口付近に設けられることを考慮し、第１の実施の形態で用いた形状よりも長手方向の幅が短いものとすることもできる。
【００５４】
また、係持具４の取付け位置は特に限定されるものではないが、上衣５の肩口近傍であって二の腕付近などが、他の箇所と比べて生地５０のゆとりがあまりないことから好ましい。係持具４を反転させた際、係持具４が巻込み部５１と着用者の身体Ｂの間の空間に挟み込まれることで係止されるので、容易に元の位置に戻りにくくなるからである。なお、係持具４を袖口部５２近傍に設けることも可能である。この場合は、生地５０のゆとりが大きくとられているので、係持具４の長手方向の幅を広く形成するなどして、係持具４が反転した後に容易に元の位置に戻らないようにすることが必要である。
【００５５】
また、係持具４の取付け個数は特に限定するものではないが、少なくとも上衣５の左右の袖に一つずつ設けられていればよく、左右にそれぞれ二個あるいは三個ずつ設けてもよい。なお、この時の係持具１の取付け位置は、先述したように、二の腕付近や袖口付近が考えられる。
【００５６】
また、係持具４は、上衣５の袖の腕廻りの一部を覆うものとすることもできるが、これに限定されるものではなく、例えば、上衣５の袖の腕廻り全周にわたる、連続した長さとすることもできる。
【００５７】
（作用）
次に、係持具４の作用を説明する。
まず、係持具４を上衣５の左右の袖の二の腕近傍に、係持具４の上辺４０が肩口側に、下辺４１が袖口部５２側に位置するように、生地５０と一体に取り付ける。なお、このときの係持具４の状態を「基準の位置」（図示せず）という。
【００５８】
次に、係持具４の上辺４０と下辺４１を手で把持する。そして、下辺４１を生地５０と着用者の身体Ｂの間に入れ込みながら、係持具４を反転させる。この時、係持具４の下辺４１が上辺４０よりも肩口側に位置している。なお、この時の係持具４の状態を「反転後の位置」（図示せず）という。
【００５９】
係持具４が「反転後の位置」にある状態では、下辺４１に上衣５の生地５０の重みがかかり、これにより下辺４１には袖口部５２側へ引っ張られる力がかかっている。しかし、係持具４が、上衣５の生地５０と着用者の身体Ｂとが密着している部分である二の腕付近に取り付けられているので、下辺４１には袖口部５２側へ引っ張られる力がかかっているものの、係持具４が「基準の位置」に戻ることはできない。係持具４が反転して「基準の位置」に戻るのに必要な、広がって係持具４を反転させるゆとりは、上衣５の生地５０の二の腕付近にはないので、係持具４は「基準の位置」に容易に戻ることができない。これにより、係持具４は「反転後の位置」の状態で係止され、容易に「基準の位置」に戻ることはない。
【００６０】
また、係持具４は上衣５の生地５０に一体に取り付けられているので、係持具４が「基準の位置」から「反転後の位置」に移動する際、係持具４に隣接し、その袖口部５２側の領域に設けられた折返し部６が係持具４と共に、上衣５の生地５０と着用者の身体Ｂの間の空間に抱え込まれ、内包される。これにより、係持具４と、生地５０の一部である折返し部６が、巻込み部５１と重ねあわされ、三重構造となるので、上衣５の袖口部５２は、係持具４と折返し部６の長手方向の幅を足し合わせた分、吊り上げられる。
【００６１】
（使用方法）
次に、係持具４の使用方法を説明する。
着用者は、ぬかるんだ地面や濡れた床を歩く際、上衣５の両袖に取り付けられた係持具４を手で把持し、下辺４１を巻込み部５１と着用者の身体Ｂの間の空間に折畳むように入れ込む。
【００６２】
係持具４と、生地５０の一部である折返し部６が、巻込み部５１と重ねあわされ、三重構造となるので、上衣５の袖口部５２は、係持具４と折返し部６の垂直方向の幅を足し合わせた分、吊り上げられる。即ち、水仕事に従事している際に袖口部５２を濡らすことなく作業することができる。また、着用者が暑さを感じた際、袖をまくり上げるような手間をかけることなく、容易に手首付近を露出することができるので、体温の調整がしやすい。
【００６３】
また、係持具４と折畳み部６が巻込み部５１と着用者の身体Ｂの間の空間に折畳まれると、係持具４が反転して「基準の位置」に戻るのに必要な、広がって係持具４を反転させるゆとりは、上衣５の生地５０の二の腕付近にはないので、係持具４は「基準の位置」に容易に戻ることができない。これにより、係持具４は「反転後の位置」の状態で係止され、容易に「基準の位置」に戻ることはない。これにより、上衣５の二の腕付近を大きく動かさない限り、係持具４が反転し、上衣５の袖口部５２が下がり、水仕事の作業中に濡れにくくなり、着用者が作業中何度も係持具４を反転させて袖口部５２が下がらないよう気を配る必要はない。また、手首付近が露出した状態を保てるので、快適な状態を保つことができる。
【００６４】
また、着用者が上衣５の袖口部５２を元の位置におろしたいときは、係持具４を手で把持し、外側にやや引っ張りながら係持具４を反転させ、「基準の位置」に戻すことで、巻込み部５１と着用者の身体Ｂの間に折畳まれていた係持具４と折畳み部６が引き出されるので、係持具４と折畳み部６の高さ方向の幅を足し合わせた分だけ上衣５の袖口部５２が下がる。
【００６５】
（効果）
以上のように、本考案の衣類は、簡単な操作で容易にズボンの裾や上衣の袖口の位置を調節することができる。
【００６６】
また、係持具は衣類と一体に取付けられているので、常に携行するよう気を配る必要はなく、必要な時に即利用することができる。
【００６７】
また、係持具は衣類と一体に取り付けられているので、一対の係持具のうち、片方を紛失することもおこりにくいため、常に上衣の両袖部分、若しくはズボンの両足部分で同時に使用することができる。
【００６８】
また、ズボンの裾部の位置の調節をヒップライン部分に取り付けられた係持具を操作するだけで容易に行うことができるので、着用者の身体への負担を軽減することができる。
【００６９】
また、係持具を衣類の内側に取り付けるので、衣類のデザイン性を損なうことなく、使用することができる。
【００７０】
また、一旦係持具が反転すると、容易に元の位置に戻りにくいので、裾部や袖口の位置が自然と下がってしまうことを防ぐことができる。
【００７１】
また、係持具自体がプラスチック素材などの軽量なものを使うことで、装着感をほとんど感じることなく使用することができる。
【符号の説明】
【００７２】
１  係持具
１０  上辺
１１  下辺
２  折返し部
３  ズボン
３０  ズボンの生地
３１  巻込み部
３２  裾部
４  係持具
４０  上辺
５  上衣
５０  上衣の生地
５１  巻込み部
５２  袖口部
６  折返し部
Ｂ  着用者の身体
Ｃ  ベルト部
Ｐ１、Ｐ２  ポケット
Ｇ  地面
Ｗ  水たまり
【図１】
0003201478.tif 000003
【図２】
0003201478.tif 000004
【図３】
0003201478.tif 000005
【図４】
0003201478.tif 000006
【図５】
0003201478.tif 000007